(57)【要約】【課題】側面板に施錠装置を設置しなくともロックすることのできる電気・電子機器収納箱を提供する。【解決手段】背面パネル２の上下前面に上面パネル３と底面パネル４を張設した箱本体１において、少なくと一方の側面を前後にスライドさせた側面板５で開閉するとともに、正面を開閉する正面扉６の端部側内面を閉扉時に前記側面板５の先端面に当接させて側面板５をロックさせる該正面扉６を施錠する。これにより側面板５もロックされることとなる。【選択図】　　図１
2004039979.tif 000002
【特許請求の範囲】
【請求項１】
背面パネルの上下前面に上面パネルと底面パネルを張設した箱本体において、少なくと一方の側面を前後にスライドさせた側面板で開閉するとともに、正面を開閉する正面扉の端部側内面を閉扉時に前記側面板の先端面に当接させて側面板をロックさせる該正面扉を施錠することを特徴とする電気・電子機器収納用箱。
【請求項２】
電気・電子機器収納用箱において、縦板部の上下端に上下板部を形成するとともに、上下板部の先端に鍔板部を形成した棚板を箱本体の正面開口の上下部に取り付けるとともに、該棚板に放熱孔を配設したことを特徴とする請求項１に記載の電気・電子機器収納用箱。
【発明の詳細な説明】
【０００１】
【発明の属する技術分野】
本発明は、主に通信機器類を収納する電気・電子機器収納用箱に関するものである。
【０００２】
【従来の技術】
従来の電気・電子機器収納用箱は、正面開口とそれに続く側面開口を開閉する正面扉及び側面板を夫々に施錠装置を設置して別々に施錠を行うものであった。
【０００３】
【発明が解決しようとする課題】
ところが、このようなものは前記したとおり正面扉及び側面板を夫々に施錠装置を設置しているため、その分コストが高くなる問題がある。また、側面板を開閉錠の操作をするには側面板の前面側に操作空間を確保する必要があり、そのため、この操作空間を確保できない場所には設置できないという問題がある。そこで、側面板のロックを正面扉の施錠により行うことができる電気・電子機器収納用箱が待望されている。また、機器を縦置きに取り付ける場合、棚板にバンドなどを使用して固定していたが、重量物などを固定するのに困難であった。さらに、機器が載置される棚板の下板部には放熱孔がなく、機器の放熱効果はよくなかった。
【０００４】
【課題を解決するための手段】
前記の課題を解決するためになされた本発明の電気・電子機器収納用箱は、背面パネルの上下前面に上面パネルと底面パネルを張設した箱本体において、少なくと一方の側面を前後にスライドさせた側面板で開閉するとともに、正面を開閉する正面扉の端部側内面を閉扉時に前記側面板の先端面に当接させて側面板をロックさせる該正面扉を施錠するものを請求項１に記載の発明とする。また、この請求項１に記載の発明電気・電子機器収納用箱において、縦板部の上下端に上下板部を形成するとともに、上下板部の先端に鍔板部を形成した棚板を箱本体の正面開口の上下部に取り付けるとともに、該棚板に放熱孔を配設したものを請求項２に記載の発明とする。
【０００５】
【発明の実施の形態】
次に、本発明の好ましい実施の形態を示す。
１は背面パネル２の上下前面に上面パネル３と底面パネル４を連設した箱本体であり、該箱本体１の少なくとも一方の側面は前後にスライドさせる放熱孔付きの側面板５１で開閉できるものとしている。この側面板５は上下端内面に設けた爪部５ａを前記上面パネル３と底面パネル４の側縁に設けたレール部３ａ、４ａに係合させて前後にスライド自在とするともに先端面を内側に折曲形成した折曲片部５ｂの内面を前記レール部３ａ、４ａの先端面に臨ませて後部側へ抜け出ることのないものとしている。なお、図示のものは他方の側面は放熱孔付きの側面パネル５１により閉塞したものであるが、側面板５により開閉できるものとしてもよいものである。
【０００６】
６は箱本体１の正面開口を開閉する放熱孔付きの正面扉であり、該正面扉６はカバー式の着脱自在としたものであり、正面扉６の上端裏面に設けた下向きの掛鉤部６ａを正面開口の上部即ち上面パネル３の前面に設けた上向きの掛鉤部３ｂに係止させたうえ下端に設けた施錠装置６ｂに正面開口の下部即ち底面パネル４に設けた係止部４ｂに係止させて閉扉するものである。この正面扉６は端部内面を閉扉時に前記側面板５の先端面に当接させたものとして、該正面扉５を閉扉して施錠した場合には同時側面板５をロックするものとされている。
【０００７】
７は箱本体１に正面開口より設置する縦置き型機器を取り付ける棚板であり、該棚板７は縦板部７１の上下端に上下板部７２、７３を折曲形成するとともに、上下板部７２、７３の端部に縦板部７１に対向させた短片部７４、７５を設けたものである。そして、上下板部７２、７３の先端に折曲形成した鍔板部７２ａ、７３ａを正面開口の上下部に固定して取り付けるものである。また、該棚板７は縦板部７１、上下板部７２、７３及び短片部７４、７５には放熱孔７６を配設している。
【０００８】
このように構成されたものは、箱本体１の少なくとも一方の側面と正面が側面板５と正面扉６とにより開閉できるものとしているので側面板５と正面扉６とを開けることにより、箱本体１内に通信機器類を収納する作業や前記棚板７を設置する作業が容易に行えるものである。
【０００９】
本発明の特長とするところは、少なくと一方の側面を前後にスライドさせる側面板５で開閉するとともに、正面を開閉する正面扉６の端部内面を閉扉時に前記側面板５の先端面に当接させて該正面扉６を施錠するものであるから、正面扉６を施錠することにより側面板５が自動的にロックされることとなるので、側面板５に施錠装置を設置する必要がないものである。
【００１０】
さらに、前記側面板５は前後にスライドさせて箱本体１の側面を開閉するものであるから、側面板５の前面に扉開閉用の空間が不要であるから箱本体１の側面側が狭い場所にも設置できるものである。また、正面扉６を図示のようにカバー式の着脱自在として、正面扉６の上端裏面に設けた下向きの掛鉤部６ａを正面開口の上部即ち上面パネル３の前面に設けた上向きの掛鉤部３ｂに係止させたうえ下端に設けた施錠装置６ｂに正面開口の下部即ち底面パネル４に設けた係止部４ｂに係止させて閉扉するものとすれば、他方の側面もスライド自在とした側面板で開閉できる構成とすることができるものである。
【００１１】
なお、他方の側面を図示の実施形態のように側面パネル５１で閉塞するものにあっては、側面パネル５１の先端に正面扉６の一側を枢着して正面扉６の他側内面を側面板５の先端面に当接させて正面扉６を施錠する構成としてもよいものである。
【００１２】
また、このような電気・電子機器収納箱に設置する棚板７は縦板部７１の上下端に上下板部７２、７３を折曲形成するとともに、上下板部７２、７３の端部に縦板部７１に対向させた短片部７４、７５を設けたものであるから、縦置き型の機器（イ）を収納する際に機器（イ）は底面を下板部７３に載置するとともに背面側を縦板部７１に添装するとともに正面側の下端を短片部７５に係止されるので結束バンドを使用する必要のないものであり、また、重量物であっても収納できるものである。さらに、前記縦板部７１、上下板部７２、７３及び短片部７４、７５には放熱孔７６を配設しているので放熱効果に優れたものである。
【００１３】
【発明の効果】
以上に説明したように、本発明の電気・電子機器収納用箱は、側面板をスライド式とすることにより正面扉の施錠によりロックできるものとしたものであるから、側面板に施錠装置を設ける必要がないからその分コストが安くなるものである。また、側面板がスライド式とするとともに開閉錠の操作をする必要がないので側面板の前面に操作空間のない場所にも設置できるものである。さらに、縦板部の上下端に上下板部を形成するとともに、上下板部の先端に鍔板部を形成した棚板を箱本体の正面開口の上下部に取り付けたので、重量物の機器であっても容易に縦置きに取付けすることができる。また、棚板に放熱孔を配設したことにより放熱効果に優れたものである。
よって、本発明は従来の電気・電子機器収納用箱の問題点を解決したもので、業界にもたらす益大なものである。
【図面の簡単な説明】
【図１】本発明の実施形態を示す斜視図である。
【図２】本発明の実施形態に使用する棚板を示す斜視図である。
【符号の説明】
１　箱本体
２　背面パネル
３　上面パネル
４　底面パネル
５　側面板
６　正面扉
【図１】
2004039979.tif 000003
【図２】
2004039979.tif 000004